(57)【要約】【課題】基準反射手段を利用したより簡易な構成で、表示装置の白色画像の色度を、精度よく測定できる色度測定装置等を提供する。【解決手段】基準となる色を表す基準反射手段の色度を取得する色度取得部３０１と、測定対象の表示装置にて測色用画像を表示させ、測色用画像の色味を基準反射手段の色味とを合致させるようにしたときに、測色用画像を表示するために表示装置にて使用する色情報を取得する色情報取得部３０２と、取得された色度および色情報を基にして、表示装置で表示される白色の画像の色度を導出する色度導出部３０３と、を備えることを特徴とする色度測定装置。【選択図】図２
2015095845.tif 000002
【特許請求の範囲】
【請求項１】
基準となる色を表す基準反射手段の色度を取得する色度取得部と、
測定対象の表示装置にて測色用画像を表示させ、測色用画像の色味を前記基準反射手段の色味とを合致させるようにしたときに、測色用画像を表示するために当該表示装置にて使用する色情報を取得する色情報取得部と、
前記色度取得部により取得された色度および前記色情報取得部により取得された色情報を基にして、前記表示装置で表示される白色の画像の色度を導出する色度導出部と、
を備えることを特徴とする色度測定装置。
【請求項２】
前記基準反射手段は、白色の色基準を表すものであることを特徴とする請求項１に記載の色度測定装置。
【請求項３】
前記色度導出部は、測色用画像の色度および色情報の他に、前記表示装置にて当該表示装置で画像を表示するときに使用する基本色の画像を表示させたときの色度、および当該表示装置の階調特性を基にして、当該表示装置で表示される白色の画像の色度を導出することを特徴とする請求項１または２に記載の色度測定装置。
【請求項４】
前記基準反射手段は、複数の異なる照明環境下で色度が既知であり、
前記色度取得部は、前記表示装置が設置される照明環境を判断し、既知の色度から選択された色度を取得することを特徴とする請求項１乃至３の何れか１項に記載の色度測定装置。
【請求項５】
基準となる色を表す基準反射手段の色度に対するユーザの入力を取得する色度取得部と、
ユーザの入力により前記基準反射手段の色味と合致する測色用画像を表示装置にて表示させたときに、当該表示装置にて使用する色情報を取得する色情報取得部と、
前記色度取得部により取得された色度および前記色情報取得部により取得された色情報を基にして、前記表示装置で表示される白色の画像の色度を導出する色度導出部と、
前記色度導出部により導出された白色の画像の色度および／または当該色度に対応する色温度を、前記表示装置の色調整を行なうための情報として出力する出力部と、
を備えることを特徴とする色調整装置。
【請求項６】
基準となる色を表す基準反射手段と、
測定対象の表示装置で表示される白色の画像の色度を測定する色度測定手段と、
を備え、
前記色度測定手段は、
前記基準反射手段の色度を取得する色度取得部と、
前記表示装置にて測色用画像を表示させ、測色用画像の色味を前記基準反射手段の色味とを合致させるようにしたときに、測色用画像を表示するために当該表示装置にて使用する色情報を取得する色情報取得部と、
前記色度取得部により取得された色度および前記色情報取得部により取得された色情報を基にして、前記表示装置で表示される白色の画像の色度を導出する色度導出部と、
を備えることを特徴とする色度測定システム。
【請求項７】
コンピュータに、
基準となる色を表す基準反射手段の色度を取得する機能と、
測定対象の表示装置にて測色用画像を表示させ、測色用画像の色味を前記基準反射手段の色味とを合致させるようにしたときに、測色用画像を表示するために当該表示装置にて使用する色情報を取得する機能と、
取得された色度および色情報を基にして、前記表示装置で表示される白色の画像の色度を導出する機能と、
を実現させるプログラム。
【請求項８】
ユーザにより入力され、基準となる色を表す基準反射手段の色度を取得する段階と、
ユーザの入力により前記基準反射手段の色味と合致する測色用画像を表示装置にて表示させたときに、当該表示装置にて使用する色情報を取得する段階と、
取得した色度および色情報を基にして、前記表示装置で表示される白色の画像の色度を導出する段階と、
を備えることを特徴とする色度測定方法。
【発明の詳細な説明】
【技術分野】
【０００１】
本発明は、色度測定装置、色調整装置、色度測定システム、プログラム、色度測定方法に関する。
【背景技術】
【０００２】
特許文献１には、発光手段から発光される各単色光のディスプレイ部における輝度を設定する輝度設定手段と、ディスプレイ部における各単色光の輝度を計測する輝度計測手段と、この輝度計測手段により計測される輝度の計測値と輝度設定手段により設定される輝度の設定値とを比較して、この設定値に計測値が一致するように発光手段に印加される印加電圧を制御する比較制御手段とを具える構成とされるホワイトバランス調整装置が開示されている。
【０００３】
特許文献２には、画面上に色見本とカーソルを表示する表示手段と、使用者からの入力に応じカーソルの位置を動かす移動手段と、使用者から決定のための入力があったときに、そのときのカーソルの位置に応じてＲＧＢゲイン調整する調整手段と、を備えるホワイトバランス調整方法が開示されている。
【０００４】
特許文献３には、基準となる白色光を表示装置に表示させ、リモコンに搭載されたＲ、Ｇ、Ｂ各色の光センサによってＲ、Ｇ、Ｂ各色の輝度を検出し、検出されたＲ、Ｇ、Ｂ各色の輝度からホワイトバランスを算出し、予め初期値として設定したホワイトバランス値との差をもって表示装置のホワイトバランスを補正する。また、視聴者が補正箇所を正確に把握するために、リモコンにレーザーポインタを搭載し、表示装置上のＲ、Ｇ、Ｂ輝度を検出する箇所を指示するるホワイトバランス補正方法が開示されている。
【先行技術文献】
【特許文献】
【０００５】
【特許文献１】特開平５−３１６５３５号公報
【特許文献２】特開２００１−１７７８４６号公報
【特許文献３】特開２００７−２７４１２４号公報
【発明の概要】
【発明が解決しようとする課題】
【０００６】
基準反射手段を利用したより簡易な構成で、表示装置の白色の画像の色度を、精度よく測定できることが望ましい。
【課題を解決するための手段】
【０００７】
請求項１に記載の発明は、基準となる色を表す基準反射手段の色度を取得する色度取得部と、測定対象の表示装置にて測色用画像を表示させ、測色用画像の色味を前記基準反射手段の色味とを合致させるようにしたときに、測色用画像を表示するために当該表示装置にて使用する色情報を取得する色情報取得部と、前記色度取得部により取得された色度および前記色情報取得部により取得された色情報を基にして、前記表示装置で表示される白色の画像の色度を導出する色度導出部と、を備えることを特徴とする色度測定装置である。
請求項２に記載の発明は、前記基準反射手段は、白色の色基準を表すものであることを特徴とする請求項１に記載の色度測定装置である。
請求項３に記載の発明は、前記色度導出部は、測色用画像の色度および色情報の他に、前記表示装置にて当該表示装置で画像を表示するときに使用する基本色の画像を表示させたときの色度、および当該表示装置の階調特性を基にして、当該表示装置で表示される白色の画像の色度を導出することを特徴とする請求項１または２に記載の色度測定装置である。
請求項４に記載の発明は、前記基準反射手段は、複数の異なる照明環境下で色度が既知であり、前記色度取得部は、前記表示装置が設置される照明環境を判断し、既知の色度から選択された色度を取得することを特徴とする請求項１乃至３の何れか１項に記載の色度測定装置である。
請求項５に記載の発明は、基準となる色を表す基準反射手段の色度に対するユーザの入力を取得する色度取得部と、ユーザの入力により前記基準反射手段の色味と合致する測色用画像を表示装置にて表示させたときに、当該表示装置にて使用する色情報を取得する色情報取得部と、前記色度取得部により取得された色度および前記色情報取得部により取得された色情報を基にして、前記表示装置で表示される白色の画像の色度を導出する色度導出部と、前記色度導出部により導出された白色の画像の色度および／または当該色度に対応する色温度を、前記表示装置の色調整を行なうための情報として出力する出力部と、を備えることを特徴とする色調整装置である。
請求項６に記載の発明は、基準となる色を表す基準反射手段と、測定対象の表示装置で表示される白色の画像の色度を測定する色度測定手段と、を備え、前記色度測定手段は、前記基準反射手段の色度を取得する色度取得部と、前記表示装置にて測色用画像を表示させ、測色用画像の色味を前記基準反射手段の色味とを合致させるようにしたときに、測色用画像を表示するために当該表示装置にて使用する色情報を取得する色情報取得部と、前記色度取得部により取得された色度および前記色情報取得部により取得された色情報を基にして、前記表示装置で表示される白色の画像の色度を導出する色度導出部と、を備えることを特徴とする色度測定システムである。
請求項７に記載の発明は、コンピュータに、基準となる色を表す基準反射手段の色度を取得する機能と、測定対象の表示装置にて測色用画像を表示させ、測色用画像の色味を前記基準反射手段の色味とを合致させるようにしたときに、測色用画像を表示するために当該表示装置にて使用する色情報を取得する機能と、取得された色度および色情報を基にして、前記表示装置で表示される白色の画像の色度を導出する機能と、を実現させるプログラムである。
請求項８に記載の発明は、ユーザにより入力され、基準となる色を表す基準反射手段の色度を取得する段階と、ユーザの入力により前記基準反射手段の色味と合致する測色用画像を表示装置にて表示させたときに、当該表示装置にて使用する色情報を取得する段階と、取得した色度および色情報を基にして、前記表示装置で表示される白色の画像の色度を導出する段階と、を備えることを特徴とする色度測定方法である。
【発明の効果】
【０００８】
請求項１の発明によれば、本構成を有していない場合に比較して、基準反射手段を利用したより簡易な構成で、表示装置の白色の画像の色度を、精度よく測定できる色度測定装置が提供できる。
請求項２の発明によれば、本構成を有していない場合に比較して、色度の測定精度がさらに高くなる。
請求項３の発明によれば、本構成を有していない場合に比較して、色度の導出がより簡単になる。
請求項４の発明によれば、本構成を有していない場合に比較して、基準反射手段の色度をより簡単に設定することができる。
請求項５の発明によれば、本構成を有していない場合に比較して、基準反射手段を利用したより簡易な構成で、表示装置の色調整を行なうことができる色調整装置が提供できる。
請求項６の発明によれば、本構成を有していない場合に比較して、基準反射手段を利用したより簡易な構成で、表示装置の白色の画像の色度を、精度よく測定できる色度測定システムが提供できる。
請求項７の発明によれば、本構成を有していない場合に比較して、基準反射手段を利用したより簡易な構成で、表示装置の白色の画像の色度を、精度よく測定できる機能をコンピュータにより実現できる。
請求項８の発明によれば、本構成を有していない場合に比較して、基準反射手段を利用したより簡易な構成で、表示装置の白色の画像の色度を、精度よく測定できる色度測定方法が提供できる。
【図面の簡単な説明】
【０００９】
【図１】本実施の形態における色度測定方法において色度測定を行なうために使用する色度測定システムを説明した図である。
【図２】表示用ＰＣの機能構成例を示した図である。
【図３】本実施の形態における色度測定方法を説明したフローチャートである。
【図４】（ａ）〜（ｂ）は、測色用画像の色味を基準反射板の色味と合致させる方法を例示した図である。
【発明を実施するための形態】
【００１０】
以下、図面を参照しつつ本実施の形態の色度測定方法について説明する。
【００１１】
＜色度測定システムの説明＞
図１は、本実施の形態における色度測定方法において色度測定を行なうために使用する色度測定システム１を説明した図である。
【００１２】
図１に図示するように本実施の形態の色度測定システム１では、画像を表示する表示装置１０と、色度の測定を行なう際に基準となる色を表す基準反射手段の一例である基準反射板２０と、表示装置１０で表示される白色の画像の色度を測定する色度測定手段（色度測定装置、色調整装置）の一例であり、表示装置１０に測色用画像を表示するための画像情報（入力画像データ）の作成等を行う表示用ＰＣ（Personal Computer）３０と、色度の測定を行なう際にユーザが種々の情報を入力するための入力装置４０とを使用する。
【００１３】
表示装置１０は、測定対象の表示装置であり、詳しくは後述するが、表示画面１０１に測色用画像を表示する。表示装置１０は、例えばＰＣ用の液晶ディスプレイ、液晶テレビあるいはプロジェクタなど、加法混色にて画像を表示する機能を備えたもので構成される。したがって、表示装置１０における表示方式は、液晶方式に限定されるものではない。なお、図１に示す例では、表示装置１０内に表示画面１０１が設けられているが、表示装置１０として例えばプロジェクタを用いる場合、表示画面１０１は、表示装置１０の外部に設けられたスクリーン等となる。
【００１４】
基準反射板２０は、本実施の形態では、白色の色基準を表すものである。基準反射板２０としては、例えば、白色の紙等を使用することができる。この場合、白色の紙として、蛍光増白剤を含まず、分光反射率が高く、フラットな白色を表すことができ、透過率の低いものを使用することが好ましい。具体的には、株式会社ユポ・コーポレーション製のコンシールユポ（登録商標）などの合成紙を使用することができる。
【００１５】
基準反射板２０は、表示装置１０が設置される照明環境下で、照明からの光を反射し、照明の状態に応じた色味を帯びる。そして基準反射板２０は、複数の異なる照明環境下で測色器等により色度が測定され、その色度が既知である。
【００１６】
基準反射板２０の色度の測定は、代表的な照明環境下で行なわれる。本実施の形態では、例えば、電球色（Ｌ色）の蛍光灯、白色（Ｗ色）の蛍光灯、および昼白色（Ｎ色）の蛍光灯を用いた照明環境下で、基準反射板２０は、以下の表１のような色度となることが測定されているとする。
【００１７】
【表１】
2015095845.tif 000003
【００１８】
表示用ＰＣ３０は、所謂汎用のパーソナルコンピュータである。そして、表示用ＰＣ３０は、ＯＳ（Operating System）による管理下において、各種アプリケーションソフトウェアを動作させることで、入力画像データの作成、色度の導出等が行われるようになっている。
【００１９】
図２は、表示用ＰＣ３０の機能構成例を示した図である。
図示するように表示用ＰＣ３０は、色度取得部３０１と、色情報取得部３０２と、色度導出部３０３と、パラメータ記憶部３０４と、出力部３０５とを備える。
【００２０】
色度取得部３０１は、詳しくは後述するが、基準反射板２０の色度を取得する。この色度は、表示装置１０が設置される照明環境を判断し、既知の色度から選択された色度である。つまり本実施の形態では、ユーザが、表示装置１０が設置される箇所の照明環境を見極め、そしてこの照明環境に対応する基準反射板２０の色度を入力装置４０等を介して入力する。基準反射板２０の色度は、例えば、ユーザが表１で示した照明環境の中で、何れが表示装置１０が設置される箇所の照明環境に近いかを判断する。そしてユーザは、表１を参照して、適合すると判断した基準反射板の色度を入力する。
【００２１】
色情報取得部３０２は、詳しくは後述するが、表示装置１０にて測色用画像を表示させ、測色用画像の色味を基準反射板２０の色味とを合致させるようにしたときに、測色用画像を表示するために表示装置１０にて使用する色情報を取得する。色情報は、具体的には、表示装置１０で使用する基準色であるＲ（Ｒｅｄ）色、Ｇ（Ｇｒｅｅｎ）色、Ｂ（Ｂｌｕｅ）色単色のそれぞれの階調値である。この階調値が８ｂｉｔで表される場合、色情報は、０〜２５５の整数値となる。なおこれは入力画像データであるＲ、Ｇ、Ｂの各値であると言い換えることもできる。
【００２２】
色度導出部３０３は、詳しくは後述するが、色度取得部３０１により取得された色度および色情報取得部３０２により取得された色情報を基にして、表示装置１０で表示される白色の画像の色度を導出する。この場合、白色の画像は、Ｒ色、Ｇ色、Ｂ色の階調値が全て最大となるときに表示装置１０に表示される画像である。入力画像データが８ｂｉｔで表される場合、このときの入力画像データは、（Ｒ、Ｇ、Ｂ）＝（２５５、２５５、２５５）となる。
【００２３】
パラメータ記憶部３０４は、表示装置１０で表示される白色の画像の色度を色度導出部３０３で導出するためのパラメータを記憶する。具体的には、表示装置１０で使用する基準色であるＲ色、Ｇ色、Ｂ色単色の画像を表示装置１０で表示したときの色度、および表示装置１０の階調特性である。表示装置１０で入力画像データが８ｂｉｔで表される場合、基準色の画像を表示させるときの入力画像データは、Ｒ色では、（Ｒ、Ｇ、Ｂ）＝（２５５、０、０）、Ｇ色では、（Ｒ、Ｇ、Ｂ）＝（０、２５５、０）、Ｂ色では、（Ｒ、Ｇ、Ｂ）＝（０、０、２５５）となる。そして基準色の色度は、この入力画像データを入力したときに表示装置１０で表示される画像の色度となる。
【００２４】
具体的には、基準色の色度は、例えば、Ｒ色の場合、（ｘ、ｙ）＝（０．６４、０．３３）である。またＧ色の場合、（ｘ、ｙ）＝（０．３０、０．６０）であり、Ｂ色の場合、（ｘ、ｙ）＝（０．１５、０．０６）である。また階調特性は、例えば、γ＝２．２となる。
【００２５】
出力部３０５は、色度導出部３０３で導出された白色の画像の色度の情報を出力する。出力先は、例えば、表示装置１０であるが、他にプリンタ等に出力を行なってもよい。また白色の画像の色度とともに、またはかわりにこの色度に対応する白色の画像の色温度の情報を出力してもよい。
【００２６】
この色度や色温度の情報は、表示装置１０の色調整を行なうのに使用することができる。例えば、色調整として表示装置１０の色温度の調整を行なう場合、上記方法により求めた白色の画像の色温度を基にして、ユーザが表示装置１０に備えられている画像の調整機能を使用して、表示装置１０の調整を行なう。そして調整後、再度上述した方法で、白色の画像の色度や色温度を測定し、以後この作業を繰り返す。これにより表示装置１０で表示される白色の画像の色温度を希望のものに調整できる。
さらに表示装置１０の色再現特性（プロファイル）を求めるために使用することもできる。
【００２７】
入力装置４０は、キーボードやマウス等で構成される。入力装置４０は、色度測定を行なうためのアプリケーションソフトウェアの起動、終了や、色度の測定を行なう際にユーザが基準反射板２０の色度等を入力するのに使用する。
【００２８】
＜色度測定方法の説明＞
図３は、本実施の形態における色度測定方法を説明したフローチャートである。
【００２９】
以後、図１〜図３を使用して、本実施の形態における色度測定方法について説明する。
まず基準反射板２０を用意する（ステップ１０１）。このとき基準反射板２０は、図１に示すように表示装置１０の表示画面１０１と並べて配置する。
【００３０】
次にユーザが、表示装置１０が設置される照明環境を判断し、基準反射板２０の色度を選択する（ステップ１０２）。この選択は、例えば上述の通り、ユーザが、表示装置１０が設置される照明環境が、表１に記載された照明環境の何れが近いかを判断し、そして近い照明環境に対応する色度を表１を参照して選択する。
【００３１】
選択された基準反射板２０の色度は、入力装置４０を介して入力される。色度取得部３０１は、ユーザにより入力され、基準反射板２０の色度を取得する（ステップ１０３）。
【００３２】
次に表示装置１０にて測色用画像を表示させ、測色用画像の色味を基準反射板２０の色味と合致させるようにする（ステップ１０４）。
【００３３】
図４（ａ）〜（ｂ）は、測色用画像の色味を基準反射板２０の色味と合致させる方法を例示した図である。
図４（ａ）は、表示画面１０１に表示される画像を示している。そして表示画面１０１の中央に測色用画像Ｓが表示される。さらに測色用画像Ｓの周囲には、測色用画像Ｓの周辺色の画像が表示される。つまり測色用画像Ｓの周囲には、測色用画像Ｓと色味をわずかにずらした画像が表示される。具体的には、例えば、赤味、緑味、青味、シアン味、マゼンタ味、黄味等をわずかにずらした画像を表示する。
【００３４】
そしてユーザは、測色用画像Ｓやこの周囲に表示された画像の色味と基準反射板２０の色味とを目視で比較する。そして表示された画像の中から基準反射板２０の色味と最も近いものを選択し、入力装置４０を介してこの画像を選択した旨を入力する。この場合、測色用画像Ｓの左側にある画像Ｔが選択されたものとする。
【００３５】
ユーザが、画像Ｔを選択すると、表示画面１０１に表示される画像は、図４（ｂ）に示すものに切り替わる。今度は、画像Ｔが測色用画像Ｓとなり、さらにこの測色用画像Ｓの周囲には、図４（ａ）と同様にして測色用画像Ｓの周辺色の画像が表示される。そしてユーザは、測色用画像Ｓやこの周囲に表示された画像の色味と基準反射板２０の色味とを目視で比較し、表示された画像の中から基準反射板２０の色味と最も近いものを選択する。
【００３６】
以下、この作業を繰り返すことで、測色用画像Ｓの色味を調整し、基準反射板２０の色味と合致させることができる。
【００３７】
図３に戻り、次に図４のような方法で、ユーザの入力により基準反射板２０の色味と合致する測色用画像Ｓを表示装置１０にて表示させたときに、表示装置１０にて使用する色情報を取得する（ステップ１０５）。この色情報は、ステップ１０４で調整後の測色用画像Ｓを表示するために使用するＲ色、Ｇ色、Ｂ色それぞれの階調値であり、０〜２５５の何れかの整数値となる。
【００３８】
そしてステップ１０２で選択され、ステップ１０３で取得された基準反射板２０の色度およびステップ１０５で取得した色情報を基にして、表示装置１０で表示される白色の画像の色度を導出する（ステップ１０６）。
【００３９】
＜白色の画像の色度を導出する方法の説明＞
以下、ステップ１０６で行なわれる白色の画像の色度を導出する方法について説明する。
本実施の形態では、下記で説明するディスプレイモデルを考え。このディスプレイモデルに基づき白色の画像の色度を導出する。
【００４０】
まず色度として（Ｘ、Ｙ、Ｚ）の画像を表示装置１０で表示するときに、使用される色情報である階調値（Ｒｄ、Ｇｄ、Ｂｄ）との関係は、以下の数１式および数２式で表すことができる。
【００４１】
【数１】
2015095845.tif 000004
【００４２】
【数２】
2015095845.tif 000005
【００４３】
数２式において、Ｒｄｍａｘ、Ｇｄｍａｘ、Ｂｄｍａｘは、Ｒ、Ｇ、Ｂの最大階調値であり、階調値が８ｂｉｔで表される場合、この数値は２５５となる。
また数２式おいて関数ｆは、階調特性を表し、階調特性がγ＝２．２のときは、ｆ（ｔ）＝ｔ２．２となる。この数値は、図２で説明したパラメータ記憶部３０４に記憶されるパラメータの１つである。
さらに数１式においてＭは、Ｒ、Ｇ、Ｂを線形変換する行列であり、下記数３式で表現できる。
【００４４】
【数３】
2015095845.tif 000006
【００４５】
数３式において、（ＸＲｍａｘ、ＹＲｍａｘ、ＺＲｍａｘ）、（ＸＧｍａｘ、ＹＧｍａｘ、ＺＧｍａｘ）、（ＸＢｍａｘ、ＹＢｍａｘ、ＺＢｍａｘ）は、それぞれ表示装置１０で基本色であるＲ色、Ｇ色、Ｂ色の画像を表示させたときのＸ、Ｙ、Ｚの各色度である。
【００４６】
またこれらの要素の一部は、下記数４式で表すことができる。
【００４７】
【数４】
2015095845.tif 000007
【００４８】
数４式において、（ｘＲｍａｘ、ｙＲｍａｘ）、（ｘＧｍａｘ、ｙＧｍａｘ）、（ｘＢｍａｘ、ｙＢｍａｘ）は、それぞれ表示装置１０で基本色であるＲ色、Ｇ色、Ｂ色の画像を表示させたときのｘ、ｙの各色度である。これらは、図２で説明したパラメータ記憶部３０４に記憶されるパラメータであり、上述した例では、（ｘＲｍａｘ、ｙＲｍａｘ）＝（０．６４、０．３３）、（ｘＧｍａｘ、ｙＧｍａｘ）＝（０．３０、０．６０）、（ｘＢｍａｘ、ｙＢｍａｘ）＝（０．１５、０．０６）となる。
【００４９】
一方、白色の画像を表示装置１０で表示させたときの色度を（ＸＷ、ＹＷ、ＺＷ）とすると、下記数５式が成り立つ。
【００５０】
【数５】
2015095845.tif 000008
【００５１】
また（ＸＷ、ＹＷ、ＺＷ）は、下記数６式で表すことができる。
【００５２】
【数６】
2015095845.tif 000009
【００５３】
数６式において、（ｘＷ、ｙＷ）は、表示装置１０で白色の画像を表示させたときのｘ、ｙの各色度である。なおＹＷについては規格化し、基準値１．０を採るものとして扱う。
【００５４】
またＹＲｍａｘ、ＹＧｍａｘ、ＹＢｍａｘの関係は、この基準値１．０を使用すると下記数７式となる。
【００５５】
【数７】
2015095845.tif 000010
【００５６】
また数４式を数３式に当てはめると、Ｍは、以下の数８式となる。
【００５７】
【数８】
2015095845.tif 000011
【００５８】
また数１式と数２式を、測色用画像Ｓに対し適用すると、それぞれ下記数９式、数１０式となる。
【００５９】
【数９】
2015095845.tif 000012
【００６０】
【数１０】
2015095845.tif 000013
【００６１】
数９式、数１０式において、（Ｘｒｅｆ、Ｙｒｅｆ、Ｚｒｅｆ）は、調整後の測色用画像Ｓの色度である。また（Ｒｄｒｅｆ、Ｇｄｒｅｆ、Ｂｄｒｅｆ）は、（Ｘｒｅｆ、Ｙｒｅｆ、Ｚｒｅｆ）の色度をとる測色用画像Ｓを表示装置１０で表示するときに、使用される色情報である階調値である。
また数１０式において、数２式のＲｄｍａｘ、Ｇｄｍａｘ、Ｂｄｍａｘは、２５５としている。
【００６２】
そして数８式、数９式、数１０式を組み合わせると下記数１１式になる。
【００６３】
【数１１】
2015095845.tif 000014
【００６４】
数１１式において未知数は、Ｙｒｅｆ、ＹＲｍａｘ、ＹＧｍａｘの３つである。なおＹＢｍａｘは、ＹＲｍａｘとＹＧｍａｘがわかれば、数７式より求まる。数１１式では、未知数が３つで、この３つの未知数の関係を表す数式が３つであるため、解析的にこの３つの未知数を求めることができる。
【００６５】
そしてこの３つの未知数を求めた後は、数４式、数５式、数６式により、（ＸＷ、ＹＷ、ＺＷ）を求めることができる。さらに白色の画像の色度を（ｘＷ、ｙＷ）の形で求めるには、下記数１２式を使用する。
【００６６】
【数１２】
2015095845.tif 000015
【００６７】
以上のようにして、表示装置１０で表示される白色の画像の色度を導出することができる。
【００６８】
以上詳述した方法では、基準反射板２０の色度と同等の色度の測色用画像Ｓが表示装置１０で表示されているとし、この色度（ｘｒｅｆ、ｙｒｅｆ）をとる測色用画像Ｓが上記色情報（Ｒｄｒｅｆ、Ｇｄｒｅｆ、Ｂｄｒｅｆ）を用いて表示されることを前提に、上記ディスプレイモデルを適用することで、表示装置１０の白色の画像の色度を導出する。またこのディスプレイモデルでは、測色用画像Ｓの色度（ｘｒｅｆ、ｙｒｅｆ）および色情報（Ｒｄｒｅｆ、Ｇｄｒｅｆ、Ｂｄｒｅｆ）の他に、表示装置１０にて表示装置１０で画像を表示するときに使用する基本色の画像を表示させたときの色度（ｘＲｍａｘ、ｙＲｍａｘ）、（ｘＧｍａｘ、ｙＧｍａｘ）、（ｘＢｍａｘ、ｙＢｍａｘ）、および表示装置１０の階調特性（γ＝２．２）を基にして、表示装置１０で表示される白色の画像の色度（ｘＷ、ｙＷ）を導出する。
【００６９】
本実施の形態では、表示装置１０にて表示される白色の画像の色度（ｘＷ、ｙＷ）を、高価な測色器等を使用せずに、安価な基準反射板２０を使用して精度よく求めることができる。また色度（ｘＷ、ｙＷ）から、表示装置１０の白色の画像の色温度も求めることができる。
【００７０】
＜プログラムの説明＞
また以上説明を行った本実施の形態における表示用ＰＣ３０が行なう処理は、ソフトウェアとハードウェア資源とが協働することにより実現される。即ち、表示用ＰＣ３０に設けられた図示しないＣＰＵが、表示用ＰＣ３０の各機能を実現するアプリケーションソフトウェア（プログラム）を図示しないメインメモリにロードして実行し、表示用ＰＣ３０の各機能を実現させる。
【００７１】
よって表示用ＰＣ３０が行なう処理は、コンピュータに、基準となる色を表す基準反射板２０の色度を取得する機能と、測定対象の表示装置１０にて測色用画像Ｓを表示させ、測色用画像Ｓの色味を基準反射板２０の色味とを合致させるようにしたときに、測色用画像Ｓを表示するために表示装置１０にて使用する色情報を取得する機能と、取得された色度および色情報を基にして、表示装置１０で表示される白色の画像の色度を導出する機能と、を実現させるプログラムとして捉えることもできる。
【００７２】
なお、本実施の形態を実現するプログラムは、通信手段により提供することはもちろん、ＣＤ−ＲＯＭ等の記録媒体に格納して提供することも可能である。
【００７３】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００７４】
１…色度測定システム、１０…表示装置、２０…基準反射板、３０…表示用ＰＣ、４０…入力装置、３０１…色度取得部、３０２…色情報取得部、３０３…色度導出部、３０５…出力部
【図１】
2015095845.tif 000016
【図２】
2015095845.tif 000017
【図３】
2015095845.tif 000018
【図４】
2015095845.tif 000019